(57)【要約】【課題】記録再生装置等に対する正確な位置決めが可能なカートリッジケースを提供する。【解決手段】上シェル３と下シェル４（下シェル本体２１ａ，２１ｂ）とを備えて両シェル３，４を重ね合わせて形成したカートリッジ本体内に情報記録媒体（光ディスク）を収容可能に構成され、上シェル３は、基準孔１４ａが中心部に形成された筒状凸部１４，１４が主板（天板）の内面に立設されて構成され、下シェル４（下シェル本体２１ａ，２１ｂ）は、筒状凸部１４の基準孔１４ａに対する位置決め用ピンの挿入を可能とする挿入孔２４が主板（底板２２）に開口されて構成されている。【選択図】図３
2007035137.tif 000002
【特許請求の範囲】
【請求項１】
第１シェルと第２シェルとを備えて当該両シェルを重ね合わせて形成したカートリッジ本体内に情報記録媒体を収容可能に構成され、
前記第１シェルは、位置決め用基準孔が中心部に形成された筒状凸部が主板の内面に立設されて構成され、
前記第２シェルは、前記筒状凸部の前記位置決め用基準孔に対する位置決め用ピンの挿入を可能とする挿入孔が主板に開口されて構成されているカートリッジケース。
【請求項２】
前記第２シェルは、各々に前記挿入孔が形成された２つのシェル本体を備えて当該両シェル本体を前記第１シェルに別個独立して取り付け可能に構成され、
前記第１シェルは、前記各挿入孔を介して前記位置決め用ピンの挿入が可能な位置に２つの前記筒状凸部が立設されている請求項１記載のカートリッジケース。
【請求項３】
前記筒状凸部は、外径が前記挿入孔の内径と等しくなるように規定されて形成されている請求項１または２記載のカートリッジケース。
【請求項４】
前記筒状凸部は、前記両シェルを重ね合わせた状態において前記第２シェルにおける前記主板の外面と当該筒状凸部の先端面とが面一となるように形成されている請求項１から３のいずれかに記載のカートリッジケース。
【請求項５】
第１シェルと第２シェルとを備えて当該両シェルを重ね合わせて形成したカートリッジ本体内に情報記録媒体を収容可能に構成され、
前記第２シェルは、前記第１シェルに重ね合わせた状態で少なくとも前記カートリッジ本体の幅方向において当該第１シェルから突出しないように構成されているカートリッジケース。
【請求項６】
前記第２シェルは、２つのシェル本体を備えて当該両シェル本体の間にディスクアクセス用の開口部が形成されるように前記第１シェルの幅方向で当該両シェル本体を離間させて当該第１シェルに取り付け可能に構成され、
前記両シェル本体は、前記第１シェルの幅方向に沿った前記開口部の基準幅と、一方の当該シェル本体における前記幅方向に沿った長さと、他方の当該シェル本体における前記幅方向に沿った長さとの合計長が前記第１シェルの幅よりも小さくなるように構成されている請求項５記載のカートリッジケース。
【請求項７】
請求項１から６のいずれかに記載のカートリッジケース内にディスク状の前記情報記録媒体が収容されて構成されているディスクカートリッジ。
【発明の詳細な説明】
【技術分野】
【０００１】
本発明は、第１シェルおよび第２シェルを備えて情報記録媒体を収容可能に構成されたカートリッジケース、およびそのカートリッジケース内にディスク状の情報記録媒体が収容されて構成されたディスクカートリッジに関するものである。
【背景技術】
【０００２】
この種のカートリッジケースを備えたディスクカートリッジとして、インナーシェル、シャッター部材およびディスク状記録媒体がアウターシェル（カートリッジケース）内に収容されて構成されたディスクカートリッジが特開２００４−３１８９３０号公報に開示されている。このディスクカートリッジでは、第１のシェル（以下、「上シェル」ともいう）と一対の第２のシェル（以下、「下シェル」ともいう）とを備えてアウターシェルが構成され、両下シェルが上シェルにネジ止めされることによってディスク状記録媒体等を収容可能な箱体が形成されている。また、このディスクカートリッジでは、ディスクドライブ内においてアウターシェルを所定の記録再生位置に位置決めするための４つの位置決め部が設けられている。具体的には、一方の下シェルに第１の位置決め部（切り欠き）および第２の位置決め部（基準孔）が形成されると共に、他方の下シェルに第３の位置決め部（切り欠き）および第４の位置決め部（基準孔）が形成されている。
【０００３】
このディスクカートリッジをディスクドライブに装填した際には、ディスクカートリッジがディスクホルダーの案内に従ってドライブ内に移動させられることにより、第１および第３の位置決め部に位置決めピンが挿入される。次いで、ディスクホルダーに設けられた押さえバネによってディスクカートリッジが下方に向けて付勢される。これにより、ディスクホルダー内においてディスクカートリッジ（カートリッジケース）が位置決めされて、ドライブ内におけるディスクカートリッジの移動が規制される。なお、ベースユニットに設けられた位置決めピンによってディスクカートリッジを位置決めするタイプのディスクドライブでは、ディスクカートリッジがドライブ内の記録再生位置に移動させられた際に、第２および第４の位置決め部に位置決めピンが挿入されることでディスクカートリッジがディスクドライブ内で位置決めされる。
【特許文献１】特開２００４−３１８９３０号公報（第３−１５頁、図８−３１）
【発明の開示】
【発明が解決しようとする課題】
【０００４】
ところが、従来のディスクカートリッジには、以下の問題点がある。すなわち、従来のディスクカートリッジでは、両下シェルが上シェルにネジ止めされることによってアウターケース（カートリッジケース）が形成されている。この場合、この種のディスクカートリッジでは、その製造時に両下シェルを上シェルに嵌め合わせた状態（上シェルに両下シェルを重ね合わせた状態）において、上シェルに対して両下シェルが僅かにがたつく状態となっている。したがって、上シェルに下シェルをネジ止めしたときに、上シェルに対して下シェルが僅かに位置ずれした状態で取り付けられることがある。具体的には、図１０に示すように、従来のディスクカートリッジ１ｘでは、上シェル６ｘに対して両下シェル７ｘ，８ｘが位置ずれした状態でネジ止めされることがある。なお、同図では、上シェル６ｘに対する両下シェル７ｘ，８ｘの位置ずれを誇張して図示している。
【０００５】
この場合、従来のディスクカートリッジ１ｘでは、前述したように、ディスクドライブ（記録再生装置）に対してディスクカートリッジ１ｘを位置決めするための位置決め部（第１の位置決め部１６ｘ〜第４の位置決め部１９ｘ）が下シェル７ｘ，８ｘに形成されている。したがって、同図に示すように、両下シェル７ｘ，８ｘが上シェル６ｘに対して位置ずれした状態では、各位置決め部１６ｘ〜１９ｘが本来の位置からずれた位置に存在することとなる。この結果、ディスクカートリッジ１ｘ（アウターシェル２ｘ）が、位置ずれした各位置決め部１６ｘ〜１９ｘを利用して記録再生装置内で位置決めされることに起因して、アウターシェル２ｘ内のディスク状記録媒体に対する正確なディスクアクセスが困難となる。このように、従来のディスクカートリッジ１ｘには、上シェル６ｘに対する下シェル７ｘ，８ｘの位置ずれに起因して記録再生装置に対するディスクカートリッジ１ｘの正確な位置決めが困難になっているという問題点がある。
【０００６】
また、図１０に示すように、両下シェル７ｘ，８ｘが上シェル６ｘに対して位置ずれした状態では、上シェル６ｘおよび下シェル７ｘ，８ｘからなるアウターシェル２ｘの幅Ｌ２ｘが基準範囲を外れて広くなる。このため、ディスクカートリッジ１ｘを記録再生装置に装填する際に、アウターシェル２ｘ（下シェル７ｘ，８ｘ）がディスクホルダー等に接触してディスクカートリッジ１ｘをスムーズに装填するのが困難となるおそれがある。同様にして、両下シェル７ｘ，８ｘが上シェル６ｘに対して位置ずれしている状態では、アウターシェル２ｘの長さＬ３ｘが基準範囲を外れて長くなる。このためため、記録再生装置内の記録再生位置にディスクカートリッジ１ｘを確実に装填するのが困難となるおそれがある。
【０００７】
本発明は、かかる問題点に鑑みてなされたものであり、記録再生装置等に対する正確な位置決めが可能なカートリッジケースおよびディスクカートリッジを提供することを主目的とする。また、記録再生装置等に対する確実かつスムーズな装填が可能なカートリッジケースおよびディスクカートリッジを提供することを他の目的とする。
【課題を解決するための手段】
【０００８】
上記目的を達成すべく本発明に係るカートリッジケースは、第１シェルと第２シェルとを備えて当該両シェルを重ね合わせて形成したカートリッジ本体内に情報記録媒体を収容可能に構成され、前記第１シェルは、位置決め用基準孔が中心部に形成された筒状凸部が主板の内面に立設されて構成され、前記第２シェルは、前記筒状凸部の前記位置決め用基準孔に対する位置決め用ピンの挿入を可能とする挿入孔が主板に開口されて構成されている。
【０００９】
また、本発明に係るカートリッジケースは、各々に前記挿入孔が形成された２つのシェル本体を備えて当該両シェル本体を前記第１シェルに別個独立して取り付け可能に前記第２シェルが構成され、前記各挿入孔を介して前記位置決め用ピンの挿入が可能な位置に２つの前記筒状凸部が立設されて前記第１シェルが構成されている。
【００１０】
さらに、本発明に係るカートリッジケースは、外径が前記挿入孔の内径と等しくなるように規定されて前記筒状凸部が形成されている。
【００１１】
また、本発明に係るカートリッジケースは、前記両シェルを重ね合わせた状態において前記第２シェルにおける前記主板の外面と当該筒状凸部の先端面とが面一となるように前記筒状凸部が形成されている。
【００１２】
また、本発明に係るカートリッジケースは、第１シェルと第２シェルとを備えて当該両シェルを重ね合わせて形成したカートリッジ本体内に情報記録媒体を収容可能に構成され、前記第２シェルは、前記第１シェルに重ね合わせた状態で少なくとも前記カートリッジ本体の幅方向において当該第１シェルから突出しないように構成されている。なお、本明細書における「幅方向」とは、記録再生装置等に装填する方向と直交する方向を意味する。
【００１３】
また、本発明に係るカートリッジケースは、２つのシェル本体を備えて当該両シェル本体の間にディスクアクセス用の開口部が形成されるように前記第１シェルの幅方向で当該両シェル本体を離間させて当該第１シェルに取り付け可能に前記第２シェルが構成され、前記第１シェルの幅方向に沿った前記開口部の基準幅と、一方の当該シェル本体における前記幅方向に沿った長さと、他方の当該シェル本体における前記幅方向に沿った長さとの合計長が前記第１シェルの幅よりも小さくなるように前記両シェル本体が構成されている。
【００１４】
また、本発明に係るディスクカートリッジは、上記のいずれかのカートリッジケース内にディスク状の前記情報記録媒体が収容されて構成されている。
【発明の効果】
【００１５】
本発明に係るカートリッジケースによれば、位置決め用基準孔が形成された筒状凸部を主板の内面に立設して第１シェルを構成すると共に、位置決め用基準孔に対する位置決め用ピンの挿入を可能とする挿入孔を主板に開口して第２シェルを構成したことにより、第１シェルに対して第２シェルが僅かに位置ずれした状態で重ね合わされて取り付けられたとしても、位置決め用ピンが挿入される位置決め用基準孔に位置ずれが生じないため、第１シェルに対する第２シェルの取付け位置の影響を受けることなく、記録再生装置等に対して正確に位置決めすることができる。したがって、このカートリッジケース内にディスク状の情報記録媒体を収容して構成したディスクカートリッジによれば、記録再生装置内において正確に位置決めされたカートリッジケース内の情報記録媒体に対して、ディスクアクセスを正確に行うことができる。
【００１６】
また、本発明に係るカートリッジケースによれば、各々に挿入孔が形成された２つのシェル本体を備えて第２シェルを構成すると共に、各挿入孔を介して位置決め用ピンの挿入が可能な位置に２つの筒状凸部を立設して第１シェルを構成したことにより、第１シェルに取り付けられた両シェル本体間の相対的な位置関係が製品毎に僅かにばらついたとしても、カートリッジケースにおける位置決め用基準孔に位置ずれが生じる事態を回避することができる。したがって、記録再生装置等に対して位置決めを正確に行うことができる。
【００１７】
さらに、本発明に係るカートリッジケースによれば、筒状凸部の外径が挿入孔の内径と等しくなるように規定したことにより、第２シェルを第１シェルに重ね合わせた際に（嵌め合わせた際に）、挿入孔の口縁部が筒状凸部の周面に接触（当接）することで第２シェルが第１シェルに対して大きく位置ずれした状態で嵌め合わされる事態を回避することができる。このため、第１シェルに対する第２シェルの位置ずれに起因してカートリッジケースの最大幅や最大長が基準範囲を外れて大きくなる事態を回避することができる。この結果、カートリッジケースを記録再生装置に対してスムーズに装填することができると共に、記録再生位置まで確実に装填することができる。
【００１８】
また、本発明に係るカートリッジケースによれば、両シェルを重ね合わせた状態において第２シェルにおける主板の外面と筒状凸部の先端面とが面一となるように筒状凸部を形成したことにより、位置決め用ピンの基端部が第１シェルにおける主板の表面（挿入孔の口縁部）に当接して位置決め用ピンの先端部を位置決め用基準孔内の規定位置まで挿入するのが困難となる事態や、筒状凸部が第１シェルの主板から突出して記録再生装置内の各種部品等に引っ掛かる事態を回避することができる。
【００１９】
また、本発明に係るカートリッジケースによれば、第１シェルに重ね合わせた状態で少なくともカートリッジ本体の幅方向において第１シェルから突出しないように第２シェルを構成したことにより、第１シェルに対して第２シェルが僅かに位置ずれした状態で取り付けられた（重ね合わされた）としても、第２シェルが第１シェルから大きくはみ出す（突出する）ことがないため、カートリッジケースの最大幅が第１シェルの幅を超えるという事態を回避することができる。したがって、カートリッジケースを記録再生装置に対してスムーズに装填することができると共に、記録再生位置まで確実に装填することができる。
【００２０】
また、本発明に係るカートリッジケースによれば、第１シェルの幅方向に沿った開口部の基準幅と、一方のシェル本体における幅方向に沿った長さと、他方のシェル本体における幅方向に沿った長さとの合計長が第１シェルの幅よりも小さくなるように両シェル本体を構成したことにより、第１シェルに対して両シェル本体が僅かに位置ずれした状態で取り付けられたとしても、両シェル本体が第１シェルから大きくはみ出す（突出する）ことがないため、カートリッジケースの最大幅が第１シェルの幅を超えるという事態を回避することができる。したがって、カートリッジケースを記録再生装置に対してスムーズに装填することができると共に、記録再生位置まで確実に装填することができる。
【発明を実施するための最良の形態】
【００２１】
以下、添付図面を参照して、本発明に係るカートリッジケースおよびディスクカートリッジの最良の形態について説明する。
【００２２】
図１〜３に示すディスクカートリッジ１は、各種記録データの記録および再生が可能に構成されたカートリッジ式の情報記録媒体であって、ディスクトレイ５およびシャッタ部材６，６などが光ディスク（本発明における「ディスク状の情報記録媒体」の一例：図示せず）と共にカートリッジケース２内に収納されて構成されている。また、カートリッジケース２は、互いに嵌合可能に（重ね合わせが可能に）形成された上シェル３および下シェル４を備えている。なお、このカートリッジケース２では、上シェル３および下シェル４が相俟って本発明におけるカートリッジ本体を構成する。
【００２３】
上シェル３は、本発明における第１シェルに相当し、図４に示すように、本発明における主板に相当する天板１２と、天板１２の外縁部に立設されてカートリッジケース２の側面部分を構成する側壁１３と、カートリッジケース２内にディスク収容部を形成する隔壁とを備えて、一例として、光透過性を有するポリカーボネートを用いて射出成形されている。また、上シェル３における天板１２の内面には、その中心部に位置決め用基準孔１４ａ（以下、基準孔１４ａともいう）が形成された２つの筒状凸部１４，１４が立設されている。この場合、このディスクカートリッジ１では、従来のディスクカートリッジ１ｘにおける第２の位置決め部１７ｘおよび第４の位置決め部１９ｘの位置に対応して筒状凸部１４，１４の形成位置が規定されている。また、このディスクカートリッジ１では、一方の筒状凸部１４（同図において右側）における基準孔１４ａが平面視丸孔状となるように形成され、他方の筒状凸部１４（同図において左側）における基準孔１４ａがディスクカートリッジ１の幅方向に長い長孔状となるように形成されている。
【００２４】
下シェル４は、本発明における第２シェルに相当し、図５に示すように、本発明におけるシェル本体に相当する一対の下シェル本体２１ａ，２１ｂを備えて、一例として、ポリカーボネートやＡＢＳ樹脂等の樹脂材料を用いて射出成形されている。具体的には、下シェル４（下シェル本体２１ａ，２１ｂ）は、本発明における主板に相当する底板２２と、底板２２の外縁部に立設されて上シェル３の側壁１３と相俟ってカートリッジケース２の側面部分を構成する側壁２３と、上シェル３の隔壁と相俟ってカートリッジケース２内にディスク収容部を形成する隔壁（図示せず）とを備えている。また、下シェル４は、図１に示すように、上シェル３に嵌合させた状態（上シェル３に重ね合わせて一体化させた状態）において、両下シェル本体２１ａ，２１ｂにおける底板２２，２２の間にディスクアクセス用の開口部２５が形成されるように配設される。この場合、開口部２５は、記録データの記録再生時において、カートリッジケース２内の光ディスクに対するディスクアクセス（記録再生装置によるクランプや、光学ヘッドを介してのレーザービームの照射等）が可能となるようにその開口幅Ｌ１（本発明における基準幅：図３参照）や開口長等が規定されている。
【００２５】
また、両下シェル本体２１ａ，２１ｂには、上シェル３における筒状凸部１４，１４の基準孔１４ａ，１４ａに対する位置決め用ピンＰ（図２参照）の挿入を可能とする挿入孔２４が底板２２に開口されている。この場合、このディスクカートリッジ１では、一方の挿入孔２４（図５において右側）が平面視丸孔状となるように形成され、他方の挿入孔２４（同図において左側）がディスクカートリッジ１の幅方向に長い長孔状となるように形成されている。また、このディスクカートリッジ１では、前述した筒状凸部１４の外径が下シェル４（下シェル本体２１ａ，２１ｂ）に形成された挿入孔２４の内径と等しくなるように規定されている。したがって、図２に示すように、上シェル３に下シェル４（両下シェル本体２１ａ，２１ｂ）を取り付けた状態では、挿入孔２４の口縁部が筒状凸部１４の周面に接触した状態となる。また、同図に示すように、このディスクカートリッジ１では、両シェル３，４を重ね合わせた状態において下シェル４における底板２２の外面と筒状凸部１４の先端面とが面一となるように筒状凸部１４の高さが規定されている。
【００２６】
また、このディスクカートリッジ１では、図３に示すように、上シェル３に重ね合わせた状態でカートリッジケース２の幅方向において上１シェル３から下シェル４が突出しないように構成されている。具体的には、下シェル４の幅Ｌ２４が上シェル３の幅Ｌ２３よりも小さくなるように、下シェル４の大きさ、および上シェル３に対する組み立て位置とが規定されている。より具体的には、下シェル本体２１ａ，２１ｂの間に形成される開口部２５の上シェル３の幅方向に沿った開口幅Ｌ１（基準幅）と、下シェル本体２１ａにおける幅方向に沿った長さ（一例として、長さＬ２４ａ）と、下シェル本体２１ｂにおける幅方向に沿った長さ（一例として、長さＬ２４ｂ）との合計長（幅Ｌ２４）が上シェル３の幅Ｌ２３よりも小さくなるように両下シェル本体２１ａ，２１ｂが構成されている。この結果、開口部２５の幅が基準幅である開口幅Ｌ１となるように両下シェル本体２１ａ，２１ｂを内側に寄せて上シェル３に重ねた状態において両下シェル本体２１ａ，２１ｂにおける両側壁２３，２３間の幅方向に沿った距離（幅Ｌ２４）が上シェル３の幅Ｌ２３よりも小さくなる。さらに、このディスクカートリッジ１では、上シェル３に重ね合わせた状態でカートリッジケース２の長さ方向（記録再生装置に対する挿入方向）において上１シェル３から下シェル４が突出しないように構成されている。具体的には、下シェル４の長さＬ３４が上シェル３の対応する部位の長さＬ３３よりも短くなるように下シェル本体２１ａ，２１ｂ（下シェル４）の大きさが規定されている。このように、このカートリッジケース２では、下シェル４（下シェル本体２１ａ，２１ｂ）が上シェル３よりも僅かに小さくなるように形成されている。
【００２７】
ディスクトレイ５は、円板状の底板と、底板の外縁部に立設された側壁とで光ディスクを載置可能な浅皿状に形成されて、光ディスクと共にカートリッジケース２内に回動可能に収容されている。この場合、ディスクトレイ５の底板には、下シェル４における開口部２５とほぼ同じ大きさの開口部が形成されている。シャッタ部材６は、ディスクトレイ５に対して回動可能に軸支された状態で、下シェル４とディスクトレイ５との間に挟み込まれるようにしてカートリッジケース２内に収容されている。このシャッタ部材６，６は、カートリッジケース２に対するディスクトレイ５の回動に伴い、ディスクトレイ５の底板と相俟って開口部２５を閉塞または開口する。
【００２８】
このディスクカートリッジ１の組み立てに際しては、光ディスク、ディスクトレイ５およびシャッタ部材６などを上シェル３上にセットした状態において下シェル本体２１ａ，２１ｂ（下シェル４）を上シェル３に重ね合わせる。この際に、図２に示すように、このカートリッジケース２では、上シェル３における筒状凸部１４の周面に両下シェル本体２１ａ，２１ｂにおける挿入孔２４の口縁部が接触（当接）するようにして上シェル３に下シェル本体２１ａ，２１ｂが嵌め合わされる。したがって、上シェル３に対して下シェル本体２１ａ，２１ｂが大きく位置ずれすることなく嵌め合わされる。次いで、図３に示すように、両下シェル本体２１ａ，２１ｂを上シェル３にネジ止めする。
【００２９】
この場合、前述したように、このディスクカートリッジ１では、上シェル３よりも下シェル４が僅かに小さくなるように下シェル本体２１ａ，２１ｂの各部のサイズが規定されている。したがって、図６に示すように、下シェル本体２１ａ，２１ｂを上シェル３に嵌め合わせた状態（両下シェル本体２１ａ，２１ｂを上シェル３に重ね合わせた状態）際に両下シェル本体２１ａ，２１ｂが上シェル３に対してがたつき、これに起因して下シェル本体２１ａ，２１ｂが上シェル３に対して僅かに位置ずれした状態でネジ止めされたとしても（開口部２５の幅Ｌ１ａが基準幅である開口幅Ｌ１よりも僅かに拡ががるように下シェル本体２１ａ，２１ｂがネジ止めされたとしても）、下シェル本体２１ａ，２１ｂが上シェル３から大きくはみ出す（突出する）事態が回避されている。このため、このカートリッジケース２では、上シェル３に対する下シェル本体２１ａ，２１ｂの取り付け姿勢に影響されることなく、上シェル３の幅Ｌ２３がカートリッジケース２の最大幅になると共に、上シェル３の長さＬ３３がカートリッジケース２の最大長となる。なお、同図では、本発明についての理解を容易とするために、上シェル３に対する両下シェル本体２１ａ，２１ｂ（下シェル４）の位置ずれを誇張して図示している。
【００３０】
また、このカートリッジケース２では、記録再生装置に対してディスクカートリッジ１を位置決めするための基準孔１４ａ，１４ａ（筒状凸部１４，１４）が上シェル３に形成されているため、上シェル３に対する両下シェル本体２１ａ，２１ｂの取付け位置の影響を受けることなく、カートリッジケース２における常に同じ位置に基準孔１４ａ，１４ａが位置させられる。したがって、このディスクカートリッジ１を記録再生装置に装填した際には、位置決め用ピンＰ，Ｐ（図２参照）が下シェル４の側から挿入孔２４，２４を介して基準孔１４ａ，１４ａに挿入された際に、ディスクカートリッジ１が記録再生装置内の所定の記録再生位置に正確に位置決めされる。
【００３１】
このように、このカートリッジケース２およびディスクカートリッジ１によれば、基準孔１４ａが形成された筒状凸部１４を天板１２の内面に立設して上シェル３を構成すると共に、筒状凸部１４の基準孔１４ａに対する位置決め用ピンＰの挿入を可能とする挿入孔２４を底板２２に開口して下シェル４（下シェル本体２１ａ，２１ｂ）を構成したことにより、上シェル３に対して下シェル４（下シェル本体２１ａ，２１ｂ）が僅かに位置ずれした状態で重ね合わされて取り付けられたとしても、位置決め用ピンＰが挿入される基準孔１４ａ，１４ａに位置ずれが生じないため、上シェル３に対する両下シェル本体２１ａ，２１ｂの取付け位置の影響を受けることなく、記録再生装置等に対して正確に位置決めすることができる。したがって、上記のカートリッジケース２内にディスク状の情報記録媒体（この例では、光ディスク）を収容して構成したディスクカートリッジ１によれば、記録再生装置内において正確に位置決めされたカートリッジケース２内の光ディスクに対して、ディスクアクセスを正確に行うことができる。
【００３２】
また、このカートリッジケース２によれば、各々に挿入孔２４が形成された２つの下シェル本体２１ａ，２１ｂを備えて下シェル４を構成すると共に、各挿入孔２４を介して位置決め用ピンＰの挿入が可能な位置に２つの筒状凸部１４，１４を立設して上シェル３を構成したことにより、上シェル３に取り付けられた下シェル本体２１ａ，２１ｂ間の相対的な位置関係が製品毎に僅かにばらついたとしても、カートリッジケース２における基準孔１４ａ，１４ａに位置ずれが生じる事態を回避することができる。したがって、記録再生装置等に対して位置決めを正確に行うことができる。
【００３３】
さらに、このカートリッジケース２によれば、筒状凸部１４の外径が挿入孔２４の内径と等しくなるように規定して筒状凸部１４を形成したことにより、下シェル本体２１ａ，２１ｂを上シェル３に重ね合わせた際に（嵌め合わせた際に）、挿入孔２４の口縁部が筒状凸部１４の周面に接触（当接）することで下シェル本体２１ａ，２１ｂが上シェル３に対して大きく位置ずれした状態で嵌め合わされる事態を回避することができる。このため、上シェル３に対する下シェル本体２１ａ，２１ｂの位置ずれに起因してカートリッジケース２の最大幅や最大長が基準範囲を外れて大きくなる事態を回避することができる。この結果、カートリッジケース２を記録再生装置に対してスムーズに装填することができると共に、記録再生位置まで確実に装填することができる。
【００３４】
また、このカートリッジケース２によれば、両シェル３，４を重ね合わせた状態において下シェル４における底板２２の外面と筒状凸部１４の先端面とが面一となるように筒状凸部１４を形成したことにより、位置決め用ピンＰの基端部が上シェル３における天板１２の表面（挿入孔２４の口縁部）に当接して位置決め用ピンＰの先端部を基準孔１４ａ内の規定位置まで挿入するのが困難となる事態や、筒状凸部１４が上シェル３の天板１２から突出して記録再生装置内の各種部品等に引っ掛かる事態を回避することができる。
【００３５】
さらに、このカートリッジケース２では、上シェル３に重ね合わせた状態でカートリッジケース２の幅方向において上シェル３から突出しないように下シェル４が構成されている。具体的には、このカートリッジケース２では、上シェル３の幅方向に沿った開口部２５の基準幅（開口幅Ｌ１）と、シェル本体２１ａにおける幅方向に沿った長さＬ２４ａと、シェル本体２１ｂにおける幅方向に沿った長さＬ２４ｂとの合計長（幅Ｌ２４）が上シェル３の幅Ｌ２３よりも小さくなるように両シェル本体２１ａ，２１ｂが構成されている。したがって、このカートリッジケース２によれば、上シェル３に対して下シェル本体２１ａ，２１ｂが僅かに位置ずれした状態で取り付けられたとしても、下シェル本体２１ａ，２１ｂが上シェル３の平面視領域から大きくはみ出す（突出する）ことがないため、カートリッジケース２の最大幅が上シェル３の幅Ｌ２３を超えるという事態や、カートリッジケース２の最大長が上シェル３の長さＬ３３を超えるという事態を回避することができる。したがって、カートリッジケース２を記録再生装置に対してスムーズに装填することができると共に、記録再生位置まで確実に装填することができる。
【００３６】
なお、本発明は、上記した構成に限定されない。例えば、上記のディスクカートリッジ１（カートリッジケース２）では、筒状凸部１４の外径が挿入孔２４の内径と等しくなるように規定されているが、本発明はこれに限定されず、例えば、図７に示すディスクカートリッジ１Ａ（カートリッジケース２Ａ）のように、その内径が筒状凸部１４の外径よりも大径の挿入孔３４を下シェル４Ａ（下シェル本体２１ａ，２１ｂ）の底板２２に形成することができる。また、ディスクカートリッジ１（カートリッジケース２）では、下シェル本体２１ａ，２１ｂを上シェル３に重ね合わせた状態において筒状凸部１４の先端面が下シェル本体２１ａ，２１ｂにおける底板２２の表面と面一となるように筒状凸部１４の高さが規定されているが、本発明はこれに限定されず、例えば、図８に示すディスクカートリッジ１Ｂ（カートリッジケース２Ｂ）のように、その先端面が底板２２の表面よりも低くなるように（先端面が底板２２の表面よりもカートリッジケース２Ｂの内側に位置するように）、筒状凸部４４の高さを規定して上シェル３Ｂを構成することもできる。
【００３７】
さらに、上記したディスクカートリッジ１では、別個独立して上シェル３に取付け可能な下シェル本体２１ａ，２１ｂを有する下シェル４を備えてカートリッジケース２を構成しているが、本発明はこれに限定されず、図９に示すディスクカートリッジ１Ｃのように、上シェル３と、単一の下シェル４Ｃと備えてカートリッジケース２Ｃを構成することもできる。この場合、下シェル４Ｃの幅を上シェル３の幅よりも僅かに狭く規定することにより、上シェル３に対して下シェル４Ｃが僅かに位置ずれした状態で取り付けられたとしても、下シェル４Ｃが上シェル３の平面視領域から大きくはみ出す（突出する）ことがないため、カートリッジケース２Ｃの最大幅が上シェル３の幅を超える事態を回避することができる。また、下シェル４Ｃの長さを上シェル３の長さよりも僅かに短く規定することにより、上シェル３に対して下シェル４Ｃが僅かに位置ずれした状態で取り付けられたとしても、下シェル４Ｃが上シェル３の平面視領域から大きくはみ出す（突出する）ことがないため、カートリッジケース２Ｃの最大長が上シェル３の長さを超える事態を回避することができる。したがって、カートリッジケース２Ｃを記録再生装置に対してスムーズに装填することができると共に、記録再生位置まで確実に装填することができる。
【００３８】
また、本発明における第２シェルに形成するディスクアクセス用の開口部は、前述したディスクカートリッジ１におけるカートリッジケース２の開口部２５のような前後方向に長い長方形形状の開口形状に限定されるものではなく、カートリッジケースの左右方向に長い長方形形状の開口形状や、方形形状のカートリッジケースにおける対角線方向に長い長方形形状の開口形状であってもよい。さらに、図９に示すディスクカートリッジ１Ｃにおけるカートリッジケース２Ｃの開口部２５ｃのように、その開口長がカートリッジケース２Ｃ内に収容されている光ディスクの半径程度となるように形成することもできる。また、本発明における位置決め用基準孔については、ディスクカートリッジ１における基準孔１４ａのように筒状凸部１４の基端部側が天板１２によって閉塞されたものに限定されず、天板１２に基準孔１４ａと同形の丸孔および長孔を設けて基準孔１４ａが天板１２の表面側に連通するように構成することもできる。
【００３９】
また、本発明に係るディスクカートリッジは、上記のディスクカートリッジ１のようにカートリッジケース２内に光ディスクを収容したものに限定されず、光ディスクに代えて光磁気ディスクや磁気ディスク等の各種のディスク状情報記録媒体をカートリッジケース内に収容して構成することができる。さらに、本発明に係るカートリッジケース内に収容する情報記録媒体については、ディスク状の情報記録媒体に限定されず、テープ状の情報記録媒体等の各種情報記録媒体が含まれる。
【図面の簡単な説明】
【００４０】
【図１】ディスクカートリッジ１の外観斜視図である。
【図２】ディスクカートリッジ１における筒状凸部１４近傍の側面断面図である。
【図３】下シェル４側から見たディスクカートリッジ１の平面図である。
【図４】内面側から見た上シェル３の平面図である。
【図５】外面側から見た下シェル４の平面図である。
【図６】上シェル３に対する下シェル４（下シェル本体２１ａ，２１ｂ）の取り付け状態の一例を示すカートリッジケース２の平面図である。
【図７】ディスクカートリッジ１Ａにおける筒状凸部１４近傍の側面断面図である。
【図８】ディスクカートリッジ１Ｂにおける筒状凸部４４近傍の側面断面図である。
【図９】ディスクカートリッジ１Ｃの外観斜視図である。
【図１０】従来のディスクカートリッジ１ｘの平面図である。
【符号の説明】
【００４１】
１，１Ａ〜１Ｃ  ディスクカートリッジ
２，２Ａ〜２Ｃ  カートリッジケース
３，３Ｂ  上シェル
４，４Ａ，４Ｃ  下シェル
１２  天板
１３，２３  側壁
１４，４４  筒状凸部
１４ａ  基準孔
２１ａ，２１ｂ  下シェル本体
２２  底板
２４，３４  挿入孔
Ｌ１，Ｌ１ａ  開口幅
Ｌ２３，Ｌ２４  幅
Ｌ２４ａ，Ｌ２４ｂ  長さ
Ｐ  位置決め用ピン
【図１】
2007035137.tif 000003
【図２】
2007035137.tif 000004
【図３】
2007035137.tif 000005
【図４】
2007035137.tif 000006
【図５】
2007035137.tif 000007
【図６】
2007035137.tif 000008
【図７】
2007035137.tif 000009
【図８】
2007035137.tif 000010
【図９】
2007035137.tif 000011
【図１０】
2007035137.tif 000012